(57)【要約】【課題】　インク打ち捨て用の開口部が形成されているプラテン上を被記録媒体が通過する際に、被記録媒体の先端が前記開口部に引っ掛かることなく、記録ヘッド部と被記録媒体との距離を可能な限り一定に維持することのできるプラテンおよびそのプラテンを備えたインクジェット記録装置を提供する。【解決手段】　被記録媒体の搬送方向に対して直交する方向に走査して被記録媒体の記録面にインクを吐出する記録ヘッドと、係る記録ヘッドに対向して設置され、前記記録ヘッドに対向する面にインク打ち捨て用の開口部を備えるプラテンとを有するインクジェット記録装置において、前記被記録媒体が前記開口部をわたるときに、前記開口部の内壁面から突出して前記被記録媒体を支持する支持体が設けられたことを特徴とする。【選択図】　　　図２
2004114680.tif 000002
【特許請求の範囲】
【請求項１】
被記録媒体の搬送方向に対して直交する方向に走査して被記録媒体の記録面にインクを吐出する記録ヘッドに対向して設置され、前記記録ヘッドに対向する面にインク打ち捨て用の開口部を備えたプラテンにおいて、前記被記録媒体が前記開口部をわたるときに、前記開口部の内壁面から突出して前記被記録媒体を支持する支持体が設けられたことを特徴とするプラテン。
【請求項２】
前記支持体は、前記開口部の内壁面に当該開口部の深さ方向に形成された凹欠部に設けられ、前記開口部の開口面の少なくとも一部を塞ぐ態様で回動して、前記被記録媒体が前記開口部をわたるときに、被記録媒体を支持する回動体であることを特徴とする請求項１に記載のプラテン。
【請求項３】
前記凹欠部が前記記録ヘッドに対向する面に貫通していることを特徴とする請求項２に記載のプラテン。
【請求項４】
前記回動部は、被記録媒体を支持する位置に回動した際に前記開口面から突出するように設置されたことを特徴とする請求項２又は３に記載のプラテン。
【請求項５】
前記凹欠部は、前記開口部の被記録媒体搬送方向側の内壁に形成されたことを特徴とする請求項２から４のいずれかに記載のプラテン。
【請求項６】
前記支持体は、前記被記録媒体が前記開口部をわたるときに、前記被記録媒体の記録面に対して所定の仰角で前記開口部の内壁面に形成された案内溝を摺動して突出し、前記被記録媒体を支持することを特徴とする請求項１に記載のプラテン。
【請求項７】
前記開口部の底部にインクを吸収するインク吸収体が設けられたことを特徴とする請求項１から６のいずれかに記載のプラテン。
【請求項８】
被記録媒体の搬送方向に対して直交する方向に走査して被記録媒体の記録面にインクを吐出する記録ヘッドと、係る記録ヘッドに対向して設置され、前記記録ヘッドに対向する面にインク打ち捨て用の開口部を備えるプラテンとを有するインクジェット記録装置において、前記被記録媒体が前記開口部をわたるときに、前記開口部の内壁面から突出して前記被記録媒体を支持する支持体が設けられたことを特徴とするインクジェット記録装置。
【請求項９】
前記支持体は、前記開口部の内壁面に当該開口部の深さ方向に形成された凹欠部に設けられ、前記開口部の開口面の少なくとも一部を塞ぐ態様で回動して被記録媒体を支持する回動体であることを特徴とする請求項８に記載のインクジェット記録装置。
【請求項１０】
前記凹欠部が前記記録ヘッドに対向する面に貫通していることを特徴とする請求項９に記載のインクジェット記録装置。
【請求項１１】
前記回動体は、被記録媒体を支持する位置に回動した際に前記開口面から突出するように設置されたことを特徴とする請求項９又は１０に記載のインクジェット記録装置。
【請求項１２】
前記凹欠部は、前記開口部の被記録媒体搬送方向側の内壁に形成されたことを特徴とする請求項９から１１のいずれかに記載のインクジェット記録装置。
【請求項１３】
前記支持体は、前記被記録媒体が前記開口部をわたるときに、前記被記録媒体の記録面に対して所定の仰角で前記開口部の内壁面に形成された案内溝を摺動して突出し、前記被記録媒体を支持することを特徴とする請求項８に記載のインクジェット記録装置。
【請求項１４】
プラテン上に搬送された被記録媒体の搬送方向下流側の縁部の縁なし印刷が終了したことを検知するセンサおよび被記録媒体の搬送方向上流側の縁部を検知するセンサと、これらのセンサの検知結果に基づき前記支持体の制御を行う制御部とが設けられ、係る制御部は、前記被記録媒体の搬送方向上流側の縁部を検知するセンサが前記被記録媒体の縁部を検知したときに前記開口部の内壁面から前記支持体を突出させ、前記被記録媒体の搬送方向下流側の縁部の縁なし印刷が終了したことを検知するセンサが前記被記録媒体の縁部を検知したときに前記開口部の内壁面に前記支持体を収納することを特徴とする請求項８から１３のいずれかに記載のインクジェット記録装置。
【請求項１５】
前記開口部の底部にインクを吸収するインク吸収体が設けられたことを特徴とする請求項８から１４のいずれかに記載のインクジェット記録装置。
【発明の詳細な説明】
【技術分野】
【０００１】
　本発明は、インク打ち捨て用の開口部が形成されたプラテンおよびそのプラテンを備えたインクジェット記録装置の構造に関する。
【背景技術】
【０００２】
　インクジェット記録装置の従来の構造は、印刷用紙などの被記録媒体の記録面と対向する面に、被記録媒体に向かってインクを吐出する複数のノズル列を有する記録ヘッドと、被記録媒体を下から支えることにより前記記録ヘッドに対する被記録媒体の位置を規定するプラテンと、被記録媒体を搬送する搬送手段とを有してなる。すなわち、被記録媒体への記録は、前記記録ヘッドに対向する平坦なプラテンの表面に被記録媒体が支えられた状態で前記ノズル列からインクが吐出されて行われる。
【０００３】
　ここで、被記録媒体に余白が無い印刷、いわゆる縁なし印刷を行うためのインクジェット記録装置の構造として、プラテンの表面に開口部が形成される場合がある（例えば、特許文献１参照。）。
【０００４】
【特許文献１】特開２０００−２８９２７５号公報　（段落〔００２９〕−〔００３９〕、第４図）
【０００５】
　図１３は、プラテンの表面に開口部が形成された従来のインクジェット記録装置の構造を示す断面図である。
【０００６】
　図１３（ａ）に示すように、従来のインクジェット記録装置の構造は、プラテン２と、被記録媒体がプラテン２の表面上を搬送するように設置された搬送手段４と、前記被記録媒体の記録面に対してインクを吐出する記録ヘッド３とからなる。
【０００７】
　また、記録ヘッド３に対向するプラテン２の表面には、前記記録ヘッド３の設置位置に基づいて開口部２１が形成されている。この開口部２１の具体的な形成位置は、プラテン２の表面において、搬送されてきた被記録媒体の搬送方向下流側縁部を縁なし印刷するために、少なくとも記録ヘッド３が走査する範囲に対応した領域に設定される。このような開口部２１を形成せずに被記録媒体に余白無く印刷を行った場合、被記録媒体の端部から外れて打ち捨てられたインクはプラテン２の表面に付着し、そのインクが被記録媒体に再付着して被記録媒体を汚すからである。従って、図１３（ａ）に示すように、プラテン２の表面に前記開口部２１を形成し、その開口部２１内部にインクを打ち捨てることにより、プラテン２の表面および被記録媒体がインクによって汚損されることを防止している。
【発明の開示】
【発明が解決しようとする課題】
【０００８】
　　しかしながら、従来のインクジェット記録装置においては次のような問題があった。
【０００９】
　被記録媒体先端が開口部を通過する際、搬送方向下流側の端部から開口部の上部に突出している部分にインクが吐出されると、図１３（ｂ）に示すように、被記録媒体の先端部分の剛性が低下して、被記録媒体の先端が下方に向かって落ち込む現象が発生する。
【００１０】
　また、記録ヘッドの走査量を少なくするなどの目的で記録ヘッドを大型化する場合においても、記録ヘッドの大型化に伴って開口部も大きくする結果として被記録媒体の先端が下方に向かって落ち込む現象が発生する。こうして被記録媒体の先端が下方に向かって落ち込むと、被記録媒体の先端が開口部に入りこんでいわゆるジャムの原因となり、また、前記ノズル列に対向した位置で被記録媒体の位置をしっかりと支えにくいので、記録ヘッドと被記録媒体との距離（ＰＧ）が定まらず、印字品質の低下を招来するおそれもある。さらに、これら問題点は、被記録媒体が連続紙としてのロール紙である場合、その巻き癖によって更に顕著に発生する傾向があった。
【００１１】
　また、前記特許文献１に記載された発明は、本体に巻回したワイヤを用いることによって被記録媒体を開口部（凹溝部）内に落ち込む現象を防止しているが、このワイヤは、開口部における被記録媒体搬送方向側の端面に形成された傾斜部に対して被記録媒体が搬送されるように設置されているため、被記録媒体が開口部内に落ち込む現象を防止することができても、記録ヘッドと被記録媒体との距離（ＰＧ）を一定に保つことができなかった。
【００１２】
　本発明は、以上の従来技術における問題に鑑みてなされたものであり、その目的は、インク打ち捨て用の開口部が形成されているプラテン上を被記録媒体が通過する際に、被記録媒体の先端が前記開口部に引っ掛かることなく、記録ヘッド部と被記録媒体との距離を可能な限り一定に維持することのできるプラテンおよびそのプラテンを備えたインクジェット記録装置を提供することにある。
【課題を解決するための手段】
【００１３】
　上記課題を解決するために提供する本願請求項１に記載の発明は、被記録媒体の搬送方向に対して直交する方向に走査して被記録媒体の記録面にインクを吐出する記録ヘッドに対向して設置され、前記記録ヘッドに対向する面にインク打ち捨て用の開口部を備えたプラテンにおいて、前記被記録媒体が前記開口部をわたるときに、前記開口部の内壁面から突出して前記被記録媒体を支持する支持体が設けられたことを特徴とするプラテンである。
【００１４】
　係る構成とすることにより、前記開口面上を被記録媒体が通過する際に、前記開口部内から前記支持体が前記被記録媒体を支持するので、被記録媒体の搬送方向下流側の先端が開口部に引っ掛かることなく、記録ヘッド部と被記録媒体との距離を可能な限り一定に維持することができる。
【００１５】
　上記課題を解決するために提供する本願請求項２に記載の発明は、請求項１に記載のプラテンにおいて、前記支持体は、前記開口部の内壁面に当該開口部の深さ方向に形成された凹欠部に設けられ、前記開口部の開口面の少なくとも一部を塞ぐ態様で回動して、前記被記録媒体が前記開口部をわたるときに、被記録媒体を支持する回動体であることを特徴とする。
【００１６】
　係る構成のように、前記支持体を回動体とし、その回動体を収納するための凹欠部を前記開口部の内壁面に形成することにより、回動体の回動の程度を調節するだけで、被記録媒体への下方からの支持を微調整できるので、記録ヘッド部と被記録媒体との距離を可能な限り一定に維持するだけでなく、操作が容易である。
【００１７】
　上記課題を解決するために提供する本願請求項３に記載の発明は、請求項２に記載のプラテンにおいて、前記凹欠部が前記記録ヘッドに対向する面に貫通していることを特徴とするものである。
【００１８】
　係る構成とすることにより、搬送方向下流側の開口部の端面が凹凸形状をなすので、被記録媒体を開口部に引っかかり難くし、スムーズに搬送することができる。ここで、前記記録ヘッドに対向する面とは、プラテンの表面を指すものであるので、前記凹欠部はプラテン表面において開口した形態をなす。
【００１９】
　上記課題を解決するために提供する本願請求項４に記載の発明は、請求項２又は３に記載のプラテンにおいて、前記回動体は、被記録媒体を支持する位置に回動した際に前記開口面から突出するように設置されたことを特徴とするものである。
【００２０】
　係る構成とすることにより、回動体の上流側の端面が被記録媒体の下面を支持しつつ回動体の下流側の端面が確実に被記録媒体を下流側のプラテン表面に到達させるので、開口部に被記録媒体が引っかかることによるジャムの発生の防止ができる。
【００２１】
　上記課題を解決するために提供する本願請求項５に記載の発明は、請求項２から４のいずれかに記載のプラテンにおいて、前記凹欠部は、前記開口部の被記録媒体搬送方向側の内壁に形成されたことを特徴とするものである。
【００２２】
　係る構成とすることにより、被記録媒体の先端、すなわち搬送方向下流側の縁部に巻き癖があっても回動体の先端が前記縁部を下面から支持し、前記回動体の表面に沿って前記被記録媒体を搬送方向下流側のプラテン上に誘導するので、開口部内に落とし込むことなくプラテン表面上を適正に搬送させることができる。
【００２３】
　上記課題を解決するために提供する本願請求項６に記載の発明は、請求項１に記載のプラテンにおいて、前記支持体は、前記被記録媒体が前記開口部をわたるときに、前記被記録媒体の記録面に対して所定の仰角で前記開口部の内壁面に形成された案内溝を摺動して突出し、前記被記録媒体を支持することを特徴とする。
【００２４】
　係る構成のように、前記被記録媒体の記録面に対して所定の仰角で摺動する支持体を採用したことにより、剛性の低い被記録媒体を効率よく支持することができる。また、被記録媒体の先端部（搬送方向下流側の端部）に所定以上の巻き癖があっても、その巻き癖の現れている部分に対して部分的な支持ができるので、被記録媒体が開口部へ落ち込むことを防ぐことができる。
【００２５】
　上記課題を解決するために提供する本願請求項７に記載の発明は、請求項１から６のいずれかに記載のプラテンにおいて、前記開口部の底部にインクを吸収するインク吸収体が設けられたことを特徴とするものである。
【００２６】
　係る構成とすることにより、インク吸収体が開口部内に打ち捨てられたインクを効率的に吸収するので、開口部内に設置された支持体を汚損することを防ぐことができる。
【００２７】
　上記課題を解決するために提供する本願請求項８に記載の発明は、被記録媒体の搬送方向に対して直交する方向に走査して被記録媒体の記録面にインクを吐出する記録ヘッドと、係る記録ヘッドに対向して設置され、前記記録ヘッドに対向する面にインク打ち捨て用の開口部を備えるプラテンとを有するインクジェット記録装置において、前記被記録媒体が前記開口部をわたるときに、前記開口部の内壁面から突出して前記被記録媒体を支持する支持体が設けられたことを特徴とするインクジェット記録装置である。
【００２８】
　係る構成とすることにより、前記開口面上を被記録媒体が通過する際に、被記録媒体の搬送方向下流側の先端が開口部に引っ掛かることなく、記録ヘッド部と被記録媒体との距離を可能な限り一定に維持することができる。
【００２９】
　上記課題を解決するために提供する本願請求項９に記載の発明は、請求項８に記載のインクジェット記録装置において、前記支持体は、前記開口部の内壁面に当該開口部の深さ方向に形成された凹欠部に設けられ、前記開口部の開口面の少なくとも一部を塞ぐ態様で回動して被記録媒体を支持する回動体であることを特徴とする。
【００３０】
　係る構成のように、前記支持体を回動体とし、その回動体を収納するための凹欠部を前記開口部の内壁面に形成することにより、回動体の回動の程度を調節するだけで、被記録媒体への下方からの支持を微調整できるので、記録ヘッド部と被記録媒体との距離を可能な限り一定に維持するだけでなく、操作が容易である。
【００３１】
　上記課題を解決するために提供する本願請求項１０に記載の発明は、請求項９に記載のインクジェット記録装置において、前記凹欠部が前記記録ヘッドに対向する面に貫通していることを特徴とするものである。
【００３２】
　係る構成とすることにより、搬送方向下流側の開口部の端面が凹凸形状をなすので、被記録媒体を開口部に引っかかり難くし、スムーズに搬送することができる。
【００３３】
　上記課題を解決するために提供する本願請求項１１に記載の発明は、請求項９又は１０に記載のインクジェット記録装置において、前記回動体は、被記録媒体を支持する位置に回動した際に前記開口面から突出するように設置されたことを特徴とするものである。
【００３４】
　係る構成とすることにより、回動体の上流側の端面が被記録媒体の下面を支持しつつ回動体の下流側の端面が確実に被記録媒体を下流側のプラテン表面に到達させるので、開口部に被記録媒体が引っかかることによるジャムの発生の防止ができる。
【００３５】
　上記課題を解決するために提供する本願請求項１２に記載の発明は、請求項９から１１のいずれかに記載のインクジェット記録装置において、前記凹欠部は、前記開口部の被記録媒体搬送方向側の内壁に形成されたことを特徴とするものである。
【００３６】
　係る構成とすることにより、被記録媒体の先端、すなわち搬送方向下流側の縁部に巻き癖があっても回動体の先端が前記縁部を下面から支持し、前記回動体の表面に沿って前記被記録媒体を搬送方向下流側のプラテン上に誘導するので、開口部内に落とし込むことなくプラテン表面上を適正に搬送させることができる。
【００３７】
　上記課題を解決するために提供する本願請求項１３に記載の発明は、請求項８に記載のインクジェット記録装置において、前記支持体は、前記被記録媒体が前記開口部をわたるときに、前記被記録媒体の記録面に対して所定の仰角で前記開口部の内壁面に形成された案内溝を摺動して突出し、前記被記録媒体を支持することを特徴とする。
【００３８】
　係る構成のように、前記被記録媒体の記録面に対して所定の仰角で摺動する支持体を採用したことにより、剛性の低い被記録媒体を効率よく支持することができる。また、被記録媒体の先端部（搬送方向下流側の端部）に所定以上の巻き癖があっても、その巻き癖の現れている部分に対して部分的な支持ができるので、被記録媒体が開口部へ落ち込むことを防ぐことができる。
【００３９】
　上記課題を解決するために提供する本願請求項１４に記載の発明は、請求項８から１３のいずれかに記載のインクジェット記録装置において、プラテン上に搬送された被記録媒体の搬送方向下流側の縁部の縁なし印刷が終了したことを検知するセンサおよび被記録媒体の搬送方向上流側の縁部を検知するセンサと、これらのセンサの検知結果に基づき前記支持体の制御を行う制御部とが設けられ、係る制御部は、前記被記録媒体の搬送方向上流側の縁部を検知するセンサが前記被記録媒体の縁部を検知したときに前記開口部の内壁面から前記支持体を突出させ、前記被記録媒体の搬送方向下流側の縁部の縁なし印刷が終了したことを検知するセンサが前記被記録媒体の縁部を検知したときに前記開口部の内壁面に前記支持体を収納することを特徴とする。
【００４０】
　係る構成とすることにより、支持体を記録ヘッドから吐出されたインクで汚損し、被記録媒体の裏面を汚すことなく適正なタイミングで被記録媒体の支持および搬送を良好に行うことができる。ここで、前記「被記録媒体の搬送方向下流側の縁部の縁なし印刷が終了したことを検知するセンサ」は、前記縁部の縁なし印刷が終了したことによって前記支持体の制御開始を許可するセンサである。従って、このセンサは換言すれば前記支持体の制御開始のタイミングを特定する支持体制御用センサであって、このセンサによる被記録媒体の検出を受けて前記制御部は前記支持体に支持動作開始の制御を行う。
【００４１】
　また、前記「被記録媒体の搬送方向上流側の縁部を検知するセンサ」は、前記被記録媒体の搬送方向上流側の縁部(後端部)の縁なし印刷が行われるにあたって、記録ヘッドから吐出されたインクを受けないように前記支持体を収納することを許可するセンサである。従って、このセンサは換言すれば前記支持体収納するタイミングを特定する支持体制御用センサであって、このセンサによる被記録媒体の検出を受けて前記制御部は前記支持体に収納の制御を行う。
【００４２】
　上記課題を解決するために提供する本願請求項１５に記載の発明は、請求項８から１４のいずれかに記載のインクジェット記録装置において、前記開口部の底部にインクを吸収するインク吸収体が設けられたことを特徴とするものである。
【００４３】
　係る構成とすることにより、インク吸収体が開口部内に打ち捨てられたインクを効率的に吸収するので、開口部内に設置された支持体を汚損することを防ぐことができる。
【発明の効果】
【００４４】
　　以上説明したように、本発明に係るプラテンおよびインクジェット記録装置によれば、被記録媒体を適正に支持する支持体を設けたので、プラテン上を被記録媒体が通過する際に、被記録媒体の搬送方向下流側の先端が開口部に引っ掛かることなく、記録ヘッド部と被記録媒体との距離を可能な限り一定に維持することができる。
【００４５】
　また、本発明に係るプラテンおよびインクジェット記録装置によれば、プラテンの表面に凹欠部を貫通させ、開口部の下流側端部を凹凸形状とすると共に、開口面から支持体としての回動体の一部が突出するような形状をなす回動体を前記支持体として設置したので、スムーズかつ適正に被記録媒体を搬送させることができる。
【００４６】
　さらに、本発明に係るプラテンおよびインクジェット記録装置によれば、被記録媒体の搬送方向下流側の縁部の縁なし印刷の終了を検知するセンサおよび被記録媒体の搬送方向上流側の縁部を検知するセンサからなる支持体制御用センサと、それらの検知結果により前記支持体の動作を制御する制御部とを設けたので、支持体をインクで汚損することがなく、結果として被記録媒体を汚損することを解消することができる。
【発明を実施するための最良の形態】
【００４７】
　以下に、本発明の実施の形態について図面を参照して以下に説明する。
【００４８】
（第１の実施の形態）
　図１は、本発明の第１の実施の形態における構成を示す断面図である。
【００４９】
　図１に示すように、本発明のインクジェット記録装置１は、被記録媒体５０を搬送させる搬送手段４と、被記録媒体５０の記録面に対して平行に、かつ被記録媒体５０の搬送方向に対して直交する方向に走査し、被記録媒体５０の記録面にインクを吐出する記録ヘッド３と、係る記録ヘッド３に対向する面にインク打ち捨て用の開口部２１を備え、被記録媒体５０の位置を規定するプラテン２とからなる。
【００５０】
　また、本発明のインクジェット記録装置１には、被記録媒体５０の縁なし印刷を開始させるための印刷開始用センサ５が設けられている。具体的には、前記印刷開始用センサ５が開口部２１に到達する直前の被記録媒体５０を検知できる位置に設置され、この印刷開始用センサ５の検知結果が記録ヘッド３を制御する制御手段等(図示せず)に伝達されることにより、被記録媒体５０の記録面へのインクの吐出が開始される。
【００５１】
　ここで、本発明のプラテンおよびそのプラテンを備えたインクジェット記録装置の実施の形態においては、被記録媒体が搬送されていく方向を下流方向（側）、被記録媒体が搬送されてくる方向を上流方向（側）として説明する。
【００５２】
　開口部２１における下流側の端面には、開口部２１の深さ方向に凹欠部１０２が形成され、この凹欠部１０２に、開口部２１の少なくとも一部を塞ぐ態様で被記録媒体５０を支持する支持体として、回動体１０１が回動可能に設けられている。この回動体１０１は、前述のように開口部２１の少なくとも一部を塞ぐ態様であればいいので、開口部２１を塞ぐ１つの回動体１０１が形成されてもよいし、それを分割した複数の回動体１０１が形成されてもよい。
【００５３】
　また、開口部２１の底面には、前記回動体１０１の動作を妨げないように打ち捨てられたインクを吸収するインク吸収体２２が設置されている。ここで、前記開口部２１が無蓋有底をなす形状でない場合には、前記吸収体２２が開口部２１の底部を形成してもよい。
【００５４】
　さらに、回動体１０１は、回動の動力となるモータ等の動力機構（図示せず）を制御する制御部(図示せず)に接続され、係る制御部は、被記録媒体５０の下流側の縁部（先端部）の縁なし印刷が行われたことを検知する第１の支持体制御用センサ１１１ａおよび被記録媒体５０の上流側の縁部（後端部）の縁なし印刷が行われることを検知する第２の支持体制御用センサ１１１ｂに接続されている。すなわち、前記第１の支持体制御用センサ１１１ａは、記録ヘッド３の設置位置に基づいて、搬送された被記録媒体５０の下流側の縁部の印刷が終了したことを検知する位置に設置されており、その第１の支持体制御用センサ１１１ａの検知を受けて前記制御部が前記回動体１０１に対して被記録媒体５０を支持するように制御するものである。
【００５５】
　従って、本発明に係るインクジェット記録装置の実施の形態においては、前記印刷開始用センサ５が被記録媒体５０を検出してから第１の支持体制御用センサ１１１ａが被記録媒体５０の搬送方向下流側の縁部の縁なし印刷終了を検出するまでは、回動体１０１が前記凹欠部１０２に収納されている。これは、記録ヘッド３から被記録媒体５０の記録面に対して吐出されたインクが回動体１０１に付着すると、回動体１０１が被記録媒体５０を支持する際に被記録媒体５０の裏面を汚すことを避けるためである。
【００５６】
　一方、前記第２の支持体制御用センサ１１１ｂは、記録ヘッド３の設置位置に基づいて、搬送された被記録媒体５０の上流側の縁部の縁なし印刷が行われることを検知する位置に設置される。具体的には、回動体１０１が被記録媒体５０を支持した状態における回動体１０１の先端部に記録媒体５０の上流側の縁部（後端部）が到達したことを検知する位置に設置されている。このような位置に設置された第２の支持体制御用センサ１１１ｂの検知を受けて前記制御部が前記回動体１０１を凹欠部１０２に収納するように制御するものである。
【００５７】
　次に、本発明のインクジェット記録装置に備えられるプラテンについて、図面を参照して説明する。
【００５８】
　図２は、本発明の第１の実施の形態におけるプラテンの表面の構成を示す斜視図であり、図３は、本発明の第１の実施の形態における回動体の構造を示す断面図である。
【００５９】
　図２に示すように、プラテン２の表面に形成された開口部２１の被記録媒体５０の搬送方向下流側の端面には、前記開口部２１の開口方向に向けて凹欠部１０２が形成されている。
【００６０】
　また、図３に示すように、前記凹欠部１０２内には、軸によって回動可能とされた略三角柱形状をなす回動体１０１が収納されており、この回動体１０１が開口部２１の開口方向に回動することにより、開口部２１上を搬送する被記録媒体５０の下流側部分が下方から支持される。
【００６１】
　また、この回動体１０１が回動して被記録媒体５０を支持する位置は、印刷に影響を及ぼさない範囲でプラテン２表面よりもやや上方に設定されることが望ましい。
【００６２】
　さらに、本発明の第１の実施の形態において、前記凹欠部１０２はプラテン２の表面に貫通していてもよい。このように、前記凹欠部１０２がプラテン２の表面に貫通していることによって前記開口部２１における被記録媒体５０の搬送方向下流側の端面が凹凸形状をなし、搬送された被記録媒体５０が当該端面に引っかかることを防ぐことができる。
【００６３】
　次に、本発明の第１の実施の形態の動作について図面を参照して以下に説明する。
【００６４】
　図４は、本発明の第１の実施の形態における動作を示す断面図である。
【００６５】
　まず、被記録媒体５０が上流側からプラテン２に搬送され、印刷開始用センサ５が被記録媒体５０を検知すると、記録ヘッド３が被記録媒体５０の記録面にインクの吐出を開始する。
【００６６】
　その後、図４（ａ）に示すように、搬送されてきた被記録媒体５０が第１の支持体制御用センサ１１１ａの検知する位置に達するまでは、回動体１０１は凹欠部１０２に収納されている。
【００６７】
　次に、図４（ｂ）に示すように、搬送されてきた被記録媒体５０の記録面、特に搬送下流側の縁部に記録ヘッド３がインクを吐出し、前記縁部の縁なし印刷が終了したことを第１の支持体制御用センサ１１１ａが検知したときは、その検知を受けて制御部が回動体１０１を凹欠部１０２内から回動して離脱させるように制御する。ここで、前述したように、回動体１０１は搬送されてきた被記録媒体５０を開口部２１に落とし込むことなく、係る開口部２１の下流側のプラテン２の表面に橋渡しをするために被記録媒体５０を支持するものであるので、回動体１０１は被記録媒体５０が開口部２１の下流側端面に到達するまでに被記録媒体５０を下面から支持する。
【００６８】
　次に、図４（ｃ）に示すように、搬送されている被記録媒体５０の下面を回動体１０１が支持すると共に、被記録媒体５０の記録面には記録ヘッド３からインクが吐出されていく。
【００６９】
　その後、記録ヘッド３がインクを吐出することによって被記録媒体５０の上流側縁部(後端部)までが印刷されるが、被記録媒体５０の上流側縁部を縁なし印刷する際には、前記第２の支持体制御用センサ１１１ｂの検出結果により、制御部が回動体１０１を凹欠部１０２に収納するように制御して印刷は終了する。ここで、前記第２の支持体制御用センサ１１１ｂの設置位置は、被記録媒体５０の上流側縁部が縁なし印刷されることによって打ち捨てられるインクを回動体１０１が受けないように設定される。
【００７０】
　以上説明したように、本実施形態におけるプラテンおよびインクジェット記録装置によれば、被記録媒体を適正に支持する回動体を設けたので、プラテン上を被記録媒体が通過する際に、被記録媒体の搬送方向下流側の先端が開口部に引っ掛かることなく、記録ヘッド部と被記録媒体との距離を可能な限り一定に維持することができる。
【００７１】
　また、本実施形態におけるプラテンおよびインクジェット記録装置によれば、被記録媒体の搬送方向下流側の縁部の縁なし印刷の終了を検知するセンサおよび被記録媒体の搬送方向上流側の縁部を検知するセンサからなる支持体制御用センサと、それらの検知結果により前記回動体の回動動作を制御する制御部とを設けたので、回動体をインクで汚損することがなく、結果として被記録媒体を汚損することを解消することができる。
【００７２】
(第２の実施の形態)
　次に、本発明の第２の実施の形態について図面を参照して以下に説明する、
　尚、本発明の第２の実施の形態の説明においては、前述の本発明の第１の実施の形態と同様の構成については説明を省略する。
【００７３】
　図５は、本発明の第２の実施の形態におけるインクジェット記録装置の構成を示す断面図であり、図６は、本発明の第２の実施の形態におけるプラテンの構成を示す斜視図である。また、図７は、本発明の第２の実施の形態における回動体の構造を示す断面図である。
【００７４】
　図５および図７に示すように、本発明の第２の実施の形態における構成は、前述の実施の形態の構成に対して、回動体１０１に突出部１０１ａが形成されたことと、それに伴う凹欠部１０２の形状といった点が異なる。具体的には、図６に示すように、凹欠部１０２は開口部２１の下流側端面に形成されてはいるが、プラテン２の表面にまで切り欠いてある。これは、被記録媒体５０を支持した際の回動体１０１の記録ヘッド３に対向する面（プラテン２の表面側）に前記突出部１０１ａを設けることで、その面の形状を平坦ではなく、突出させたことに伴うものである。すなわち、本実施形態において凹欠部１０２がプラテン２の表面にまで切り欠かれて形成されているのは、その内部に収納される回動体１０１が被記録媒体５０を支持した際に前記突出部１０１ａをプラテン２の表面から露出させるためである。ここで、前記突出部１０１ａは、プラテン２の表面から突出する部分が印刷に影響を及ぼさない程度に形成されていればよい。
【００７５】
　このような構造とすることにより、回動体１０１の先端部分に支持された被記録媒体５０は、プラテン２の表面から突出した回動体１０１の突出部１０１ａにより下流側のプラテン表面に確実かつスムーズに到達する。
【００７６】
　次に、本発明の第２の実施の形態における動作について図８を参照して以下に説明する。
【００７７】
　まず、被記録媒体５０が上流側からプラテン２に搬送され、印刷開始用センサ５が被記録媒体５０を検知すると、記録ヘッド３が被記録媒体５０の記録面にインクの吐出を開始する。
【００７８】
　その後、図８（ａ）に示すように、被記録媒体５０が搬送されてきて、第１の支持体制御用センサ１１１ａの検知がなされるまで、すなわち、被記録媒体５０の記録面に記録ヘッド３からインクが吐出され、被記録媒体５０の搬送下流側の縁部における縁なし印刷が終了するまでは、前記凹欠部１０２内に回動体１０１が収納されたままになっている。
【００７９】
　次に、図８（ｂ）に示すように、搬送されてきた被記録媒体５０の記録面、特に搬送下流側の縁部に記録ヘッド３がインクを吐出し、前記縁部の縁なし印刷が終了したことを第１の支持体制御用センサ１１１ａが検知したときは、回動体１０１は凹欠部１０２内から回動しはじめる。
【００８０】
　次に、図８（ｃ）に示すように、搬送されている被記録媒体５０の下面を回動体１０１が支持し、被記録媒体５０が下流側のプラテン２の表面に到達することを補助する。ここで、回動体１０１は、記録ヘッド３と対向する側の面が突出する形状をなすと共に、凹欠部１０２がプラテン２表面を切り欠いた形状をなし、この切り欠き部分から一部が露出した態様をなすことから、下面を支持された被記録媒体５０は、スムーズに下流側のプラテン２表面に到達する。
【００８１】
　このようにして搬送された被記録媒体５０の記録面には記録ヘッド３からインクが吐出されていき、被記録媒体５０の上流側縁部まで印刷するが、被記録媒体５０の上流側縁部を縁なし印刷する際には、被記録媒体５０の上流側縁部（後端部）を検知する第２の支持体制御用センサ１１１ｂの検出結果により、制御部が回動体１０１を凹欠部１０２に収納するように制御して印刷は終了する。ここで、本実施形態においても前記第２の支持体制御用センサ１１１ｂの設置位置は、被記録媒体５０の上流側縁部が縁なし印刷されることによって打ち捨てられるインクを回動体１０１が受けないように設定される。
【００８２】
　以上説明したように、本実施形態におけるプラテンおよびインクジェット記録装置によれば、被記録媒体を適正に支持する回動体を設けたので、プラテン上を被記録媒体が通過する際に、被記録媒体の搬送方向下流側の先端が開口部に引っ掛かることなく、記録ヘッド部と被記録媒体との距離を可能な限り一定に維持することができる。
【００８３】
　また、本実施形態におけるプラテンおよびインクジェット記録装置によれば、プラテンの表面に凹欠部を貫通させ、開口部の下流側端部を凹凸形状とすると共に、プラテンの表面から回動体の一部が突出するように回動体の形状および設置位置を設定したので、スムーズかつ適正に被記録媒体を搬送させることができる。
【００８４】
　さらに、本実施形態におけるプラテンおよびインクジェット記録装置によれば、被記録媒体の搬送方向下流側の縁部の縁なし印刷の終了を検知するセンサおよび被記録媒体の搬送方向上流側の縁部を検知するセンサからなる支持体制御用センサと、それらの検知結果により前記回動体の回動動作を制御する制御部とを設けたので、回動体をインクで汚損することがなく、結果として被記録媒体を汚損することを解消することができる。
【００８５】
(第３の実施の形態)
　次に、本発明の第３の実施の形態について図面を参照して以下に説明する。図９は本発明に係るプラテンおよびインクジェット記録装置の第３の実施形態を示す図である。図９に示すように、本発明の第３の実施の形態における構成は、前述の実施の形態の構成に対して、支持体を回動体ではなく開口部２１の内壁面に摺動可能に埋設された第２の支持体２０１として採用した点が異なる。具体的には、本実施形態のプラテン２に形成された開口部２１の内壁面に、案内溝２０２が開口部２１の開口面に対して所定の仰角をなす孔形状で形成されている。すなわち、この案内溝２０２の開口部分は、被記録媒体５０が搬送されるプラテン２の表面から開口部２１の深さ方向に所定距離をもって形成されている。そして、案内溝２０２には、その内面に対して摺動する棒形状の第２の支持体２０１が設置され、この第２の支持体２０１を摺動させるためのモータ等の動力機構（図示せず）が設けられている。この第２の支持体２０１は、前記開口面まで摺動する程度の長さを有しており、先端は、支持される被記録媒体５０の下面を適正に支持するような形状に加工されている。
【００８６】
　また、第２の支持体２０１および案内溝２０２は、記録ヘッド３が走査する方向に複数設けられて被記録媒体５０を支持してもよく、案内溝２０２の仰角が可変であればさらに望ましい。
【００８７】
　このような構成を採用することにより、剛性の低い被記録媒体を効率よく支持することができる。また、被記録媒体の先端部（搬送方向下流側の端部）に所定以上の巻き癖があっても、その巻き癖の現れている部分に対して部分的な支持ができるので、被記録媒体が開口部へ落ち込むことを防ぐことができる。
【００８８】
　次に、本発明の第３の実施の形態における動作について図１０を参照して以下に説明する。
【００８９】
　まず、被記録媒体５０が上流側からプラテン２に搬送され、印刷開始用センサ５が被記録媒体５０を検知すると、記録ヘッド３が被記録媒体５０の記録面にインクの吐出を開始する。
【００９０】
　その後、図１０（ａ）に示すように、被記録媒体５０が搬送されてきて、第１の支持体制御用センサ１１１ａの検知がなされるまで、すなわち、被記録媒体５０の記録面に記録ヘッド３からインクが吐出され、被記録媒体５０の搬送下流側の縁部における縁なし印刷が終了するまでは、案内溝２０２内に第２の支持体２０１が収納されたままになっている。
【００９１】
　次に、図１０（ｂ）に示すように、搬送されてきた被記録媒体５０の記録面、特に搬送下流側の縁部に記録ヘッド３がインクを吐出し、前記縁部の縁なし印刷が終了したことを第１の支持体制御用センサ１１１ａが検知したときは、第２の支持体２０１は案内溝２０２内から開口面方向へ摺動しはじめる。
【００９２】
　次に、図１０（ｃ）に示すように、搬送されている被記録媒体５０の下面を第２の支持体２０１が支持し、被記録媒体５０が下流側のプラテン２の表面に到達することを補助する。尚、第２の支持体２０１ができるだけ被記録媒体５０の下面を支持できるように、案内溝２０２が前記開口面を仰ぐ角度は、可能な限り小さいほうがよく、第２の支持体２０１は、開口部２１の下流側縁部に接する程度まで摺動することが望ましい。
【００９３】
　このようにして搬送された被記録媒体５０の記録面には記録ヘッド３からインクが吐出されていき、被記録媒体５０の上流側縁部まで印刷するが、被記録媒体５０の上流側縁部を縁なし印刷する際には、被記録媒体５０の上流側縁部（後端部）を検知する第２の支持部制御用センサ１１１ｂの検出結果により、制御部が第２の支持体２０１を案内溝２０２に収納するように制御して印刷は終了する。ここで、本実施形態においても第２の支持体制御用センサ１１１ｂの設置位置は、被記録媒体５０の上流側縁部が縁なし印刷されることによって打ち捨てられるインクを第２の支持体２０１が受けないように設定される。
【００９４】
　以上説明したように、本実施形態におけるプラテンおよびインクジェット記録装置によれば、剛性の低い被記録媒体を効率よく支持することができる。また、被記録媒体の先端部（搬送方向下流側の端部）に所定以上の巻き癖があっても、その巻き癖の現れている部分に対して部分的な支持ができるので、被記録媒体が開口部へ落ち込むことを防ぐことができる。
【００９５】
　また、本実施形態におけるプラテンおよびインクジェット記録装置によれば、被記録媒体の搬送方向下流側の縁部の縁なし印刷の終了を検知するセンサおよび被記録媒体の搬送方向上流側の縁部を検知するセンサからなる支持体制御用センサと、それらの検知結果により前記支持体の摺動動作を制御する制御部とを設けたので、支持体をインクで汚損することがなく、結果として被記録媒体を汚損することを解消することができる。
【００９６】
(第４の実施の形態)
　次に、本発明の第４の実施の形態について図面を参照して以下に説明する。図１１は本発明に係るプラテンおよびインクジェット記録装置の第４の実施形態を示す図である。図１１に示すように、本発明の第４の実施の形態における構成は、前述の第１の実施の形態における回動体と第３の実施の形態における支持体とを組み合わせたものである。具体的には、本実施形態のプラテン２に形成された開口部２１の搬送方向下流側の内壁面に回動体１０１を備えた凹欠部１０２が形成され、開口部２１の搬送方向上流側の内壁面に、開口部２１の開口面に対して所定の仰角をなして第２の支持体２０１を摺動可能に備えた案内溝２０２が凹欠部１０２に対向するように形成されている。そして、回動体１０１及び第２の支持体２０１の大きさは、搬送されてきた記録媒体５０の下面を、共に橋渡しするように支持する程度に設計される。
【００９７】
　また、回動体１０１、第２の支持体２０１および案内溝２０２は、記録ヘッド３が走査する方向に複数設けられて被記録媒体５０を支持してもよく、案内溝２０２の仰角が可変であればさらに望ましい。
【００９８】
　このような構成を採用することにより、搬送されてきた被記録媒体５０が低剛性であっても、第２の支持体２０１が開口部２１上で被記録媒体５０の下面を適正に支持し、かつ搬送方向下流側で被記録媒体５０を第２の支持体２０１から受け取った回動体１０１が、プラテン２上に被記録媒体５０を適正に誘導するので、被記録媒体５０を開口部２１へ落ち込ませることを防ぐことができる。
【００９９】
　次に、本発明の第４の実施の形態における動作について図１２を参照して以下に説明する。
【０１００】
　まず、被記録媒体５０が上流側からプラテン２に搬送され、印刷開始用センサ５が被記録媒体５０を検知すると、記録ヘッド３が被記録媒体５０の記録面にインクの吐出を開始する。
【０１０１】
　その後、図１２（ａ）に示すように、被記録媒体５０が搬送されてきて、第１の支持体制御用センサ１１１ａの検知がなされるまで、すなわち、被記録媒体５０の記録面に記録ヘッド３からインクが吐出され、被記録媒体５０の搬送下流側の縁部における縁なし印刷が終了するまでは、凹欠部１０２内の回動体１０１及び案内溝２０２内の第２の支持体２０１が収納されたままになっている。
【０１０２】
　次に、図１２（ｂ）に示すように、搬送されてきた被記録媒体５０の記録面、特に搬送下流側の縁部に記録ヘッド３がインクを吐出し、前記縁部の縁なし印刷が終了したことを第１の支持体制御用センサ１１１ａが検知したときは、回動体１０１が凹欠部１０２内から回動しはじめると共に、第２の支持体２０１が案内溝２０２内から開口面方向へ摺動しはじめる。
【０１０３】
　次に、図１２（ｃ）に示すように、搬送されている被記録媒体５０の下面を第２の支持体２０１が支持し、被記録媒体５０が回動体１０１上に受け渡されることを補助する。ここで、この受け渡しが適正に行われるように、案内溝２０２が前記開口面を仰ぐ角度は、可能な限り小さいほうがよい。そして、被記録媒体５０を第２の支持体２０１から受け渡された回動体１０１は、被記録媒体５０の下面を支持しながら、搬送される被記録媒体５０が下流側のプラテン２の表面に到達することを補助する。ここで、前述したように、回動体１０１は、記録ヘッド３と対向する側の面が突出する形状をなすと共に、凹欠部１０２がプラテン２表面を切り欠いた形状をなし、この切り欠き部分から一部が露出した形態を採用してもよく、このようにすることで、下面を支持された被記録媒体５０は、スムーズに下流側のプラテン２表面に到達する。
【０１０４】
　このようにして搬送された被記録媒体５０の記録面には記録ヘッド３からインクが吐出されていき、被記録媒体５０の上流側縁部まで印刷するが、被記録媒体５０の上流側縁部を縁なし印刷する際には、被記録媒体５０の上流側縁部（後端部）を検知する第２の支持体制御用センサ１１１ｂの検出結果により、凹欠部１０２内への回動体１０１の収納および案内溝２０２内への第２の支持体２０１の収納を制御部が制御して印刷は終了する。ここで、案内溝２０２内への第２の支持体２０１の収納については、第２の支持体２０１が被記録媒体５０を回動体１０１に受け渡した後に制御部によって制御されてもよく、またそれを検知すると共に、被記録媒体５０の上流側縁部が縁なし印刷されることによって打ち捨てられるインクを回動体１０１および第２の支持体２０１が受けないように、第２の支持体制御用センサ１１１ｂの設置位置が設定されることが望ましい。
【０１０５】
　以上説明したように、本実施形態におけるプラテンおよびインクジェット記録装置によれば、被記録媒体を適正に支持するために、下流側に回動体を、上流側に支持体を設けたので、開口部上を被記録媒体が通過する際に、被記録媒体の搬送方向下流側の先端を前記支持体が適正に支持し、前記回動体に受け渡すと共に、受け渡された被記録媒体を前記回動体が適正にプラテン上に誘導するので、搬送される被記録媒体が開口部に引っ掛かることなく、記録ヘッド部と被記録媒体との距離を可能な限り一定に維持することができる。
【０１０６】
　また、本実施形態におけるプラテンおよびインクジェット記録装置によれば、被記録媒体の搬送方向下流側の縁部の縁なし印刷の終了を検知するセンサおよび被記録媒体の搬送方向上流側の縁部を検知するセンサからなる支持体制御用センサと、それらの検知結果により前記支持体の摺動動作を制御する制御部とを設けたので、支持体をインクで汚損することがなく、結果として被記録媒体を汚損することを解消することができる。
【０１０７】
　以上、本発明の実施の形態について説明したが、これまでの記述は、本発明の実施の形態の例を開示したものであり、所定の範囲で適宜変形または変更が可能であるが、各実施の形態は例証するものであり、制限するものではない。
【図面の簡単な説明】
【０１０８】
【図１】本発明に係るインクジェット記録装置の第１の実施の形態における構成を示す断面図である。
【図２】本発明に係るプラテンの第１の実施の形態における構成を示す斜視図である。
【図３】本発明の第１の実施の形態における回動体の構造を示す断面図である。
【図４】本発明に係るインクジェット記録装置の第１の実施の形態における動作を示す断面図である。
【図５】本発明に係るインクジェット記録装置の第２の実施の形態における構成を示す断面図である。
【図６】本発明に係るプラテンの第２の実施の形態における構成を示す斜視図である。
【図７】本発明の第２の実施の形態における回動体の構造を示す断面図である。
【図８】本発明に係るインクジェット記録装置の第２の実施の形態における動作を示す断面図である。
【図９】本発明に係るインクジェット記録装置の第３の実施の形態における構成を示す断面図である。
【図１０】本発明に係るインクジェット記録装置の第３の実施の形態における動作を示す断面図である。
【図１１】本発明に係るインクジェット記録装置の第４の実施の形態における構成を示す断面図である。
【図１２】本発明に係るインクジェット記録装置の第４の実施の形態における動作を示す断面図である。
【図１３】インクジェット記録装置の従来の構成を示す断面図である。
【符号の説明】
【０１０９】
　１　インクジェット記録装置
　２　プラテン
　３　記録ヘッド
　４　搬送手段
　５　印刷開始センサ
　２１　開口部
　２２　インク吸収体
　５０　被記録媒体
　１０１　回動体
　１０２　凹欠部
　１１１ａ、１１１ｂ　支持体制御用センサ
　２０１　支持体
　２０２　案内溝
【図１】
2004114680.tif 000003
【図２】
2004114680.tif 000004
【図３】
2004114680.tif 000005
【図４】
2004114680.tif 000006
【図５】
2004114680.tif 000007
【図６】
2004114680.tif 000008
【図７】
2004114680.tif 000009
【図８】
2004114680.tif 000010
【図９】
2004114680.tif 000011
【図１０】
2004114680.tif 000012
【図１１】
2004114680.tif 000013
【図１２】
2004114680.tif 000014
【図１３】
2004114680.tif 000015